(57)【要約】【課題】取付け対象と壁材との隙間が狭い場合であっても、充分な固定力で取付け対象を壁材に突っ張り固定することができるレバー付クランプを提供する。【解決手段】壁材に対向する取付け対象を壁材に対して突っ張らせて固定するためのレバー付クランプであって、取付け対象に固定される台座２と、台座に第１の支軸２０によって回動自在に支持され、前端部４ａと後端部４ｂとが第１の支軸を中心にシーソー式に揺動するレバー４と、レバーの後端部に第２の支軸２２によって回動自在に支持され、壁材への当接面６ａを先端に有するクランプ軸６とを備え、台座にはレバーの前端部を係止する係止部１０が設けられ、レバーの前端部が係止部に係止された時に当接面が台座から最も離間した位置に上昇する。【選択図】図２
2008298160.tif 000002
【特許請求の範囲】
【請求項１】
壁材に対向する取付け対象を前記壁材に対して突っ張らせて固定するためのレバー付クランプであって、
前記取付け対象に固定される台座と、
前記台座に第１の支軸によって回動自在に支持され、前端部と後端部とが前記第１の支軸を中心にシーソー式に揺動するレバーと、
前記レバーの後端部に第２の支軸によって回動自在に支持され、前記壁材への当接面を先端に有するクランプ軸とを備え、
前記第２の支軸は前記第１の支軸に対して平行であり、
前記台座には前記レバーの前端部を係止する係止部が設けられ、該レバーの前端部が前記係止部に係止された時に前記当接面が前記台座から最も離間した位置に上昇するレバー付クランプ。
【請求項２】
前記クランプ軸には、前記第２の支軸による支点と前記当接面との間の軸長さを調節するための調節部材が設けられている請求項１記載のレバー付クランプ。
【発明の詳細な説明】
【技術分野】
【０００１】
本発明は、壁材に対向する取付け対象を前記壁材に対して突っ張らせて固定するためのクランプに関する。
【背景技術】
【０００２】
従来、家具の天板と部屋の天井面とを伸縮自在の突っ張り棒で固定し、家具の転倒を防止する器具が知られている（特許文献１、２参照）。
一方、筐本体に蓋を取外し可能に取付けるキャッチクリップが従来から知られている（特許文献３参照）。
【０００３】
【特許文献１】特開平08-214969号公報
【特許文献２】特開平08-242954号公報
【特許文献３】特開平08-121000号公報
【発明の開示】
【発明が解決しようとする課題】
【０００４】
しかしながら、上記した特許文献１、２記載の技術の場合、家具と天井面とが比較的広い間隔（１００ｍｍ以上）を有する場合には、突っ張り棒による伸縮で固定することができるものの、間隔が狭くなると突っ張り棒の伸縮距離が短くなるので、充分な強さで固定できないという問題がある。
又、特許文献３記載の技術の場合も、充分な固定力を得るためにはレバーの長さを長くする必要があるが、取付け対象（蓋）の周囲に干渉物がある場合にはレバーがこれと干渉して掛け金操作ができなくなるという問題がある。
本発明は上記の課題を解決するためになされたものであり、取付け対象と壁材との隙間が狭い場合であっても、充分な固定力で取付け対象を壁材に突っ張り固定することができるレバー付クランプの提供を目的とする。
【課題を解決するための手段】
【０００５】
上記の目的を達成するために、本発明のレバー付クランプは、壁材に対向する取付け対象を前記壁材に対して突っ張らせて固定するためのレバー付クランプであって、前記取付け対象に固定される台座と、前記台座に第１の支軸によって回動自在に支持され、前端部と後端部とが前記第１の支軸を中心にシーソー式に揺動するレバーと、前記レバーの後端部に第２の支軸によって回動自在に支持され、前記壁材への当接面を先端に有するクランプ軸とを備え、前記第２の支軸は前記第１の支軸に対して平行であり、前記台座には前記レバーの前端部を係止する係止部が設けられ、該レバーの前端部が前記係止部に係止された時に前記当接面が前記台座から最も離間した位置に上昇するものである。
【０００６】
このようにすると、第１の支軸を支点としてレバーの先端部を台座側に押し下げることにより、梃子の作用でレバーの後端部に支持されたクランプ軸が上昇するので、取付け対象と壁材との隙間が狭くても、強力な突っ張り固定力を得ることができる。
又、レバーの先端部は台座に係止されるので、上昇したクランプ軸が戻ることが防止され、安定して突っ張り固定を維持できる。
【０００７】
前記クランプ軸には、前記第２の支軸による支点と前記当接面との間の軸長さを調節するための調節部材が設けられていることが好ましい。
このようにすると、取付け対象と壁材との隙間の大きさに応じて、クランプ軸の当接面が適切に壁材に当接するようにクランプ軸の軸長さを調節できる。
【発明の効果】
【０００８】
本発明によれば、取付け対象と壁材との隙間が狭い場合であっても、充分な固定力で取付け対象を壁材に突っ張り固定することができる。
【発明を実施するための最良の形態】
【０００９】
以下、本発明の実施形態について、図面を参照して説明する。図１は、本発明のレバー付クランプが好適に使用される部位の一例を示す。この部位は、錠剤表面に糖衣する際に用いられるコーティング装置であり、断面が八角形のローリー（内筒）１００の内部空間に糖衣前の錠剤とコーティング液が入れられ、ローリーの回転によってコーティング液が錠剤表面に塗布される。又、ローリーの送風口１０２からローリー内に温風が吹き込まれ、塗布されたコーティング液を乾燥するようになっている。温風はローリーの胴部に取付けられた８枚のメッシュ板２００を通ってローリー外へ排出される。ローリー１００の外側には円筒状の外筒１５０が配置され、外筒１５０はローリー１００と一体に回転するようになっている。
【００１０】
メッシュ板２００と外筒１５０内壁との隙間（クリアランス）ｔは５０ｍｍ程度であり、従来の掛け金装置（例えば特許文献３記載のキャッチクリップ）を用いてメッシュ板２００をローリー１００本体に取付けるのはスペースの関係から困難である。
このような部位に本発明を有効に適用できることができる。
【００１１】
図２は、本発明の実施形態に係るレバー付クランプの構造を示す斜視図である。この図において、レバー付クランプは、板状の台座２と、レバー４と、クランプ軸６とを備え、ネジ孔２ｅを介して台座２が取付け対象（例えば図１のメッシュ板２００）の表面に固定される。又、クランプ軸６の先端には、矩形状のクランプ基部６ｂが取付けられ、クランプ基部６ｂの上面にはシリコーンゴム製のクッション（当接面）６ａが設けられている。そして、詳しくは後述する動作によって、クッション６ａが取付け対象に対向する壁面（例えば図１の外筒１５０内壁）に当接し、取付け対象を前記壁材に対して突っ張らせて固定するようになっている。
【００１２】
台座２の前端部にはロックピン（係止部）１０を係止するための板状のピン受け２ｂ、２ｃ、２ｄが垂直に立設し、台座２の後端部にはレバー４を軸支するための軸ホルダー２ａ、２ａが垂直に立設している。ピン受け２ｂ、２ｃ、２ｄ、及び軸ホルダー２ａ、２ａにはそれぞれ貫通孔が設けられている。
レバー４は板材をコの字状に曲げて得られる２つの胴部を有し、コの字の開放端が後端部４ｂをなし、コの字の閉塞端が前端部４ａをなす。レバー４の２つの胴部が並ぶ側面から見ると（図３参照）、先細の前端部４ａから後側に向かって幅広となり、中央より後端部４ｂに近い側で弓なりに屈曲し、後端部４ｂに繋がっている。
【００１３】
レバー４の屈曲部近傍でレバー４の２つの胴部に貫通孔が設けられている。そして、軸ホルダー２ａ、２ａの間にレバー４の２つの胴部を挟んだ状態で、軸ホルダー２ａ、２ａの貫通孔を介して、第１の支軸２０がレバー４の貫通孔に挿嵌されている。これにより、レバー４は第１の支軸２０を支点にして台座２に回動自在に支持され、前端部４ａと後端部４ｂとが支軸２０を中心にシーソー式に揺動するようになっている。
【００１４】
ピン受け２ｂ、２ｃ、２ｄは、この順で第１の支軸２０の軸方向に平行に並び、レバー４の前端部４ａが台座２の表面に近接した時、レバー４の一方の胴部がピン受け２ｃ、２ｄの間に挟まれるようになっている。そして、この状態で、ピン受け２ｂ、２ｃ、２ｄの貫通孔にロックピン１０が挿嵌されると、ピン受け２ｃ、２ｄの間に挟まれたレバー４がロックピン１０によって上から押さえ込まれ、レバー４が台座２の表面側の位置に係止される。
なお、ピン受け２ｂ、２ｃの間には、ロックピン１０をピン受け２ｃから２ｄの方向へ付勢する圧縮コイルバネ１２が配置されている。そして、通常は圧縮コイルバネ１２の付勢力によってロックピン１０はピン受け２ｄの貫通孔に挿通される位置まで前進している。従って、レバー４の係止を解除する際には、ロックピン１０の基部を外側へ引張ってロックピン１０をピン受け２ｄからピン受け２ｃの位置まで後退させる必要がある。
【００１５】
レバー４の後端部４ｂ近傍でレバー４の２つの胴部に貫通孔が設けられ、この貫通孔を介して、第２の支軸２２がレバー４の貫通孔に挿嵌されている。第２の支軸２２には、当該軸の軸方向に垂直に延びるクランプ軸６が一体に取付けられており、クランプ軸６が第２の支軸２２によって回動自在に支持されている。
クランプ基部６ｂの一端から取付けブラケット６ｃが突出し、取付けブラケット６ｃの貫通孔にクランプ軸６の先端が挿通されている。クランプ軸６の先端部はネジ山が設けられていて、取付けブラケット６ｃを挟むようにして、２つのナット（調節部材）８ａ、８ｂがクランプ軸６のネジ山に螺合し、取付けブラケット６ｃをクランプ軸６先端に固定している。
そして、各ナット８ａ、８ｂの位置を調節することにより、取付けブラケット６ｃの位置が変化し、前記第２の支軸２２による支点とクッション（当接面）６ａとの間の距離（クランプ軸６の軸長さ）を調節することができる。これにより、取付け対象と壁材との隙間の大きさに応じて、クランプ軸の当接面を適切に壁材に当接させることができる。
【００１６】
次に、本発明の実施形態に係るレバー付クランプを用いて、取付け対象を前記壁材に対して突っ張らせて固定する動作について説明する。
まず、ロックピン１０の基部を外側へ引張ってロックピン１０をピン受け２ｄからピン受け２ｃの位置まで後退させ、レバー４の係止を解除する。これにより、レバー４がシーソー式に自在に回動できるようになる。
この状態で、レバー４の前端部４ａを台座２の上方へ持ち上げると、第１の支軸２０を支点にしてレバー４の後端部４ｂが下がり、それにつれてクランプ軸６先端のクッション（当接面）６ａも下がる。この状態が当接面が最も低い位置であり、この状態で、取付け対象を取付け位置に配設する。
【００１７】
次に、レバー４の前端部４ａを台座２の下方へ下げると、第１の支軸２０を支点にしてレバー４の後端部４ｂが上がり、それにつれてクランプ軸６先端のクッション（当接面）６ａも上がる。そして、クッション６ａが壁材に当接し始める。この状態で、さらにレバー４の前端部４ａを押し下げると、クッション６ａと台座２との間の距離が広がり、取付け対象が壁材に対して突っ張って固定される。
【００１８】
そして、レバー４の前端部４ａがピン受け２ｃ、２ｄの間に挟まれた時、ロックピン１０を離すと、ロックピン１０がピン受け２ｄの貫通孔に挿通される位置まで前進し、レバー４を押さえ込む。このようにすると、レバーの前端部が台座に係止されるので、上昇したクランプ軸が戻ることが防止され、安定して突っ張り固定を維持できる。
又、第１の支軸を支点としてレバーの前端部を台座側に押し下げるため、梃子の作用でレバーの後端部に支持されたクランプ軸が上昇するので、取付け対象と壁材との隙間が狭くて荷重が掛け難い場合であっても、強力な突っ張り固定力を得ることができる。
【００１９】
なお、図３は本発明の実施形態に係るレバー付クランプの側面図であり、図４は上面図である。
【００２０】
本発明は上記実施形態に限定されない。例えば、係止部の構造やレバーの形状等も自由に設計することができる。例えば、上記実施形態においては壁材として、断面が八角形のローリーを用いたが、壁材の形状はこれに限定されない。又、レバー付クランプを取付ける方向も限定されず、例えば縦方向の他、横方向に取付けることもできる。さらに、レバー付クランプを適用する壁材や取付け対象も限定されない。
【図面の簡単な説明】
【００２１】
【図１】本発明の実施形態に係る真空蒸着装置の全体構成図である。
【図２】本発明の実施形態に係るレバー付クランプの構造を示す斜視図である。
【図３】レバー付クランプの側面図である。
【図４】レバー付クランプの上面図である。
【符号の説明】
【００２２】
２                          台座
４                          レバー
４ａ                        （レバーの）前端部
４ｂ                        （レバーの）後端部
６                          クランプ軸
６ａ                        当接面（クッション）
８ａ、８ｂ                  調節部材（ナット）
１０                        係止部（ロックピン）
２０                        第１の支軸
２２                        第２の支軸
２００                      取付け対象（メッシュ板）
１５０                      壁材
【図１】
2008298160.tif 000003
【図２】
2008298160.tif 000004
【図３】
2008298160.tif 000005
【図４】
2008298160.tif 000006